(57)【特許請求の範囲】
【請求項１】
金属製板材からなる表裏一対の第一、第二面板を折曲して、ドア体の表裏のドア面を構成する第一、第二見付け片部と、該第一、第二見付け片部の戸先側端部位と戸尻側および上下側の他の三側端部位からドア厚方向に延出する戸先側及び他の三側第一、第二見込み片部とが形成されたボックス状の第一、第二ボックス体をそれぞれ形成し、第一ボックス体に第二ボックス体を外嵌してドア体を構成するにあたり、
第一面板は、戸先側部位に、前記戸先側第一見付け片部と、該戸先側第一見付け片部の戸先側端から該戸先側第一見付け片部の第二見付け片部側面に面接触する状態で戸尻側に向けて折返し折曲された戸先側第一折返し片部と、該戸先側第一折返し片部の折返し部よりも戸尻側に位置する戸尻側端から第二見付け片部の第一見付け片部側面に当接するよう折曲された前記戸先側第一見込み片部と、該戸先側第一見込み片部の第二見付け片部当接位置から該第二見付け片部の第一見付け片部側面に面接触する状態で戸先側に向けて折曲された戸先側第一当接片部とが形成され、前記他の三側端部位に、前記第一見付け片部と、該第一見付け片部の他の三側端部位から第二見付け片部の第一見付け片部側面に当接するよう折曲された他の三側第一見込み片部と、該他の三側第一見込み片部の第二見付け片部当接位置から第二見付け片部の第一見付け片部側面に面接触する状態で前記各他の三側第一見込み片部から離間する方向に折曲された他の三側第一当接片部とが形成され、
第二面板は、戸先側部位に、前記第二見付け片部と、該第二見付け片部の第一当接片部面接触部位よりも戸先側で第一見付け片部側に向けて折曲されて前記折返し部の第二見付け片部側面に当接する前記戸先側第二見込み片部と、該戸先側第二見込み片部の折返し部当接部位から第一折返し片部の第二見付け片側面に面接触する状態で戸尻側に向けて折曲する戸先側第二当接片部とが形成され、前記他の三側端部位に、前記第二見付け片部と、該第二見付け片部の前記三側端部位から前記他の三側第一見込み片部の外側に位置する状態で第二見付け片部側に向けて折曲された前記他の三側第二見込み片部と、該他の三側第二見込み片部の第二見付け片部側端から他の三側第一見込み片部と他の三側第二見込み片部とに面接触する状態で折返し折曲された他の三側補強片部とが形成されていて、
戸先側部位については前記戸先側第二当接片部先端縁が戸先側第一見込み片部に当接され、他の三側部位については他の三側補強片部により補強された他の三側第二見込み片部が他の三側第一見込み片部に当接することで組込み状態での第一ボックス体に対する第二ボックス体の上下方向およびドア幅方向に移動規制がなされるように構成されていることを特徴とするドア体。
【請求項２】
戸先側の第一当接片部は、第一見込み片部の先端縁から戸先側に折曲形成される一方、戸先側の第二見込み片部の先端縁には、戸尻側に折曲して第一折返し片部に当接する第二当接片部が形成されるものとし、第一、第二当接片部の先端縁に、第一、第二見付け片部側に折曲する第一、第二フランジ片部を形成し、これら戸先側に位置する第一、第二フランジ片部同士を、第一フランジ片部が第二フランジ片部よりも戸先側に位置させると共に、第二フランジ片部との間にドア厚方向の所定間隙を設けたことを特徴とする請求項１に記載のドア体。
【請求項３】
第一見付け片部の四周に位置する第一当接片部は、先端縁に第一見付け片部側に折曲される第一フランジ片部がそれぞれ形成されていることを特徴とする請求項１または２に記載のドア体。
【発明の詳細な説明】
【技術分野】
【０００１】
本発明は、オフィスビルや工場等の建築物の出入り口部に設けられるドア体の技術分野に関するものである。
【背景技術】
【０００２】
一般に、オフィスビルや工場等の建築物では、出入り口部に、金属製板材からなる表裏一対の面板と、これら面板間に介装されるコア材とを用いて構成される鋼製のドア体を設けることがあり、このような鋼製のドア体は、従来、強度や整形性等を向上させるため、表裏の面板間にＣ型チャンネルからなるフレーム材を介装している。しかしながら、近年、鋼製のドア体においても、軽量化、低コスト化が求められており、ドア体に内装されるフレーム材を省略することが提唱されている。このようなドア体として、表裏一対の第一、第二面板に、ドア体の表裏の見付け面を構成する第一、第二見付け片部をそれぞれ形成するとともに、一方の第一面板の第一見付け片部の四周に、ドア体の四周（戸先側、戸尻側、上下側）の端面を構成する第一見込み片部をそれぞれ形成し、これら四周の第一見込み片部の先端縁に、第二見付け片部に当接する第一当接片部を形成して、第一、第二面板同士を一体化したときに、四周の第一突当て片部が第二見付け片部の四周に突当て状に当接することで、ドア体の四周を補強し、これによって、四周部位のフレーム材を省略するようにしたものが提唱されている。
【先行技術文献】
【特許文献】
【０００３】
【特許文献１】特公平２−５６４７０号公報
【発明の概要】
【発明が解決しようとする課題】
【０００４】
しかるに、前記特許文献１のドア体において、戸先側と戸尻側部位については、第一、第二面板の両者に第一、第二見込み片部が形成されており、第一面板に対して第二面板を外嵌させるように組込むことで、第一、第二見込み片部同士が積層する状態となってドア体の端面を構成している。このため、戸先側、戸尻側の端部においては、第一、第二見込み片部が積層状になること、第一当接片部が第二面板に当接することにより充分な補強がなされるが、上下側部位については、第二面板の上下が第二見付け片部の上下端縁で切離され、ドア体の上下側の端面は第一見込み片部のみで構成されているため、上下側部位においては、第一当接片部が第二面板に当接することによる補強のみとなって、充分な補強ができないという問題がある。このため、フレームレスのドア体でありながら、充分な強度が確保でき、しかも、第一、第二面板同士を作業性よく組込めるような構成のドア体が強く望まれ、ここに本発明の解決すべき課題がある。
【課題を解決するための手段】
【０００５】
本発明は、上記の如き実情に鑑みこれらの課題を解決することを目的として創作されたものであって、請求項１の発明は、金属製板材からなる表裏一対の第一、第二面板を折曲して、ドア体の表裏のドア面を構成する第一、第二見付け片部と、該第一、第二見付け片部の戸先側端部位と戸尻側および上下側の他の三側端部位からドア厚方向に延出する戸先側及び他の三側第一、第二見込み片部とが形成されたボックス状の第一、第二ボックス体をそれぞれ形成し、第一ボックス体に第二ボックス体を外嵌してドア体を構成するにあたり、第一面板は、戸先側部位に、前記戸先側第一見付け片部と、該戸先側第一見付け片部の戸先側端から該戸先側第一見付け片部の第二見付け片部側面に面接触する状態で戸尻側に向けて折返し折曲された戸先側第一折返し片部と、該戸先側第一折返し片部の折返し部よりも戸尻側に位置する戸尻側端から第二見付け片部の第一見付け片部側面に当接するよう折曲された前記戸先側第一見込み片部と、該戸先側第一見込み片部の第二見付け片部当接位置から該第二見付け片部の第一見付け片部側面に面接触する状態で戸先側に向けて折曲された戸先側第一当接片部とが形成され、前記他の三側端部位に、前記第一見付け片部と、該第一見付け片部の他の三側端部位から第二見付け片部の第一見付け片部側面に当接するよう折曲された他の三側第一見込み片部と、該他の三側第一見込み片部の第二見付け片部当接位置から第二見付け片部の第一見付け片部側面に面接触する状態で前記各他の三側第一見込み片部から離間する方向に折曲された他の三側第一当接片部とが形成され、第二面板は、戸先側部位に、前記第二見付け片部と、該第二見付け片部の第一当接片部面接触部位よりも戸先側で第一見付け片部側に向けて折曲されて前記折返し部の第二見付け片部側面に当接する前記戸先側第二見込み片部と、該戸先側第二見込み片部の折返し部当接部位から第一折返し片部の第二見付け片側面に面接触する状態で戸尻側に向けて折曲する戸先側第二当接片部とが形成され、前記他の三側端部位に、前記第二見付け片部と、該第二見付け片部の前記三側端部位から前記他の三側第一見込み片部の外側に位置する状態で第二見付け片部側に向けて折曲された前記他の三側第二見込み片部と、該他の三側第二見込み片部の第二見付け片部側端から他の三側第一見込み片部と他の三側第二見込み片部とに面接触する状態で折返し折曲された他の三側補強片部とが形成されていて、戸先側部位については前記戸先側第二当接片部先端縁が戸先側第一見込み片部に当接され、他の三側部位については他の三側補強片部により補強された他の三側第二見込み片部が他の三側第一見込み片部に当接することで組込み状態での第一ボックス体に対する第二ボックス体の上下方向およびドア幅方向に移動規制がなされるように構成されていることを特徴とするドア体である。
請求項２の発明は、戸先側の第一当接片部は、第一見込み片部の先端縁から戸先側に折曲形成される一方、戸先側の第二見込み片部の先端縁には、戸尻側に折曲して第一折返し片部に当接する第二当接片部が形成されるものとし、第一、第二当接片部の先端縁に、第一、第二見付け片部側に折曲する第一、第二フランジ片部を形成し、これら戸先側に位置する第一、第二フランジ片部同士を、第一フランジ片部が第二フランジ片部よりも戸先側に位置させると共に、第二フランジ片部との間にドア厚方向の所定間隙を設けたことを特徴とする請求項１に記載のドア体である。
請求項３の発明は、第一見付け片部の四周に位置する第一当接片部は、先端縁に第一見付け片部側に折曲される第一フランジ片部がそれぞれ形成されていることを特徴とする請求項１または２に記載のドア体である。
【発明の効果】
【０００６】
請求項１の発明とすることにより、ドア体の四周の強度を高めることができるうえ、第二ボックス体を第一ボックス体に組込むことで、第二ボックス体を第一ボックス体に対して位置決め状にすることができて、格別位置決め手段を設けることなく、第一、第二ボックス体を精度よく一体化することができると共に、第一、第二ボックス体を位置決め状に組込める構成でありながら、戸先側端部の強度をさらに高めることができるうえ、組込み作業が容易になって、製作時間の短縮が図れてコスト低下に寄与できる。
請求項２の発明とすることにより、火災時等に第一、第二ボックス体同士を分離しないようにできる。
請求項３の発明とすることにより、ドア体６の四周における強度を一層高めることができる。
【図面の簡単な説明】
【０００７】
【図１】図１（Ａ）、（Ｂ）はそれぞれドア体のドア枠への取付け状態における正面図、背面図である。
【図２】図２（Ａ）は図１（Ａ）におけるＸ−Ｘ断面図、図２（Ｂ）はドア体の上側部位における拡大断面図である。
【図３】図３（Ａ）は図１（Ａ）におけるＹ−Ｙ断面図、図３（Ｂ）はドア体の戸先側部位における拡大断面図、図３（Ｃ）はドア体の戸尻側部位における拡大断面図である。
【図４】図４（Ａ）、（Ｂ）、（Ｃ）、（Ｄ）、（Ｅ）はそれぞれドア体の平面図、左側面図、正面図、右側面図、底面図である。
【図５】図５（Ａ）、（Ｂ）、（Ｃ）、（Ｄ）はそれぞれ第一ボックス体の平面図、左側面図、正面図、右側面図である。
【図６】第一ボックス体の斜視図である。
【図７】図７（Ａ）、（Ｂ）、（Ｃ）、（Ｄ）はそれぞれ第二ボックス体の平面図、左側面図、正面図、右側面図である。
【図８】第一、第二ボックス体の組込み手順を説明する平面断面図である。
【図９】図９（Ａ）、（Ｂ）、（Ｃ）はそれぞれ施錠装置用ライナーの取付け状態を説明する平面断面図、側面図、正面図である。
【発明を実施するための形態】
【０００８】
以下、本発明の第一の実施の形態について、図面に基づいて説明する。
図面において、１は建築物の出入り口部（開口部）の四周に設けられるドア枠であって、該ドア枠１は、上下、左右（戸先側、戸尻側）の各枠材２、３、４、５を四角形状に一体的に枠組みすることにより形成されている。これら各枠材２、３、４、５は金属製板材を折曲して形成されており、開口部側に位置する側片部には、屋外側部位が左右方向外側に向けて退避するよう段差状に折曲され、屋外側を向く戸当たり片部２ａ、３ａ、４ａ、５ａと、ドア枠１に支持される本発明が実施されたドア体６の全閉姿勢において、ドア体６の上下、戸先側、戸尻側の各端面６ａ、６ｂ、６ｃ、６ｄにそれぞれ対向するドア体対向片部２ｂ、３ｂ、４ｂ、５ｂとが形成されている。
【０００９】
前記ドア体６は金属製板材、好ましくは鋼製であって、本実施の形態では鋼板からなる屋内外一対（表裏一対）の第一、第二面板７、８と、これら第一、第二面板７、８の間に介装されるコア材９とを備えて構成されており、後述するように、第一、第二面板７、８の四周を適宜折曲して一体化することにより、四周のフレーム材、縦または横方向のフレーム材等、一切のフレーム材が省略されたフレームレスのドア体６に構成されている。
そして、本実施の形態のドア体６は、戸尻側となる図１（Ａ）の図面向かって右側の端縁部の上下方向二箇所と、右枠材５のドア体対向片部５ｂの上下方向二箇所との間に設けられた丁番１０（旗丁番）を介して右枠材５に揺動自在に支持され、これら丁番１０を揺動支点として屋外側において開閉揺動する外開き式に構成されている。
【００１０】
前記ドア体６を構成する第一、第二面板７、８は、ドア体６の屋内外の見付け面（屋内側ドア面、屋外側ドア面）６ｅ、６ｆを構成する四角形状の第一、第二見付け片部７ａ、８ａと、これら第一、第二見付け片部７ａ、８ａの四周先端縁からそれぞれ上下、左右に延出する余長部とを備えた形状に予め裁断されており、前記各方向に延出する余長部をそれぞれ折曲加工することにより、入れ子状の箱型形状となった第一、第二ボックス体７Ｂ、８Ｂを形成するように構成されている。そして、屋内側のドア面６ｅを構成する第一ボックス体７Ｂに対し、屋外側のドア面６ｆを構成する第二ボックス体８Ｂを外嵌させて一体化することによりドア体６が形成されるように構成されている。
尚、第一、第二面板７、８は、必ずしも第一面板を屋内側、第二面板を屋外側の面板として用いる必要はなく、その逆の構成として用いることも可能であり、要は、一方の面板により構成されるボックス体が他方の面板により構成されるボックス体に外嵌することでドア体を形成する構成であれば、ドア体の表裏方向については何れの方向であってもよい。
【００１１】
前記第一面板７において、図５に示すように、第一見付け片部７ａの戸先側の先端縁（左側端縁）に形成される余長部には、第一見付け片部７ａの先端縁から戸尻側に向けて折返し状に折曲形成された戸先側第一折返し片部７ｂが形成されており、該戸先側第一折返し片部７ｂの先端縁に、第二見付け片部８ａ側（第二面板８側、屋外側）に向けて折曲された戸先側第一見込み片部７ｃが形成されている。
ここで、前記戸先側第一折返し片部７ｂは、先端側部位（戸尻側部位）が第一見付け片部７ａの屋外側面（内側面）に当接するよう、戸先側第一折返し片部７ｂを第一見付け片部７ａに押し付ける（押し潰す）状態で折返されるが、ヘアピン状に折曲形成することにより、第一見付け片部７ａと戸先側第一折返し片部７ｂとの間であって、ドア体６の戸先側端面６ｃとして外部に露出する折返し部７ｄが完全に押し潰されることなく空間部Ｓが形成されている。これによって、化粧鋼板等表面加工が施された面板の折返し部を押し潰すように折曲することにより発生する白化現象が防止されて、ドア体戸先側端面６ｃとして外部に露出する折返し部７ｄの外面における表面加工が保護することができて、意匠性が向上するように構成されている。
そして図３から明らかなように、第一折返し片部７ｂは、第一見付け片部７ａの第二見付け片部側面に面接触する状態で戸尻側に向けて折返し折曲されており、また第一見込み片部７ｃは、第一折返し片部７ｂの折返し部７ｄよりも戸尻側に位置する戸尻側端から第二見付け片部８ａの第一見付け片部側面に当接するよう折曲されている。
【００１２】
さらに、前記戸先側第一折返し片部７ｂは、前述したように、先端縁側が第一見付け片部部７ａに押し付けられるように折曲されている。そして、戸先側第一折返し片部７ｂの先端縁に折曲形成される戸先側第一見込み片部７ｃは、戸先側第一折返し片部７ｂの先端縁部および第一見付け片部７ａに対して直交状、即ち、９０度の角度を存して折曲形成されている。これによって、戸先側第一見込み片部７ｃは、ドア体６の戸先側端面６ｃよりも戸先側第一折返し片部７ｂの長さに相当する分だけ戸尻側に位置するとともに、戸先側端面６ｃに対して平行となる位置関係となるように構成されている。このとき、戸先側第一見込み片部７ｃは、先端縁が第二見付け片部８ａに当接する長さに寸法設定することになるが、第一見付け片部７ａに当接状に押し付けられた戸先側第一折返し片部７ｂの先端縁から９０度の角度を存して折曲することにより、見込方向の長さ寸法が精度よく設定された状態で形成できるように構成されている。
さらに、戸先側の余長部には、戸先側第一見込み片部７ｃの先端縁から戸先側に向けて折曲され、第二面板８の第二見付け片部８ａに当接する戸先側第一当接片部７ｅが形成されている。また、戸先側第一当接片部７ｅの先端縁には第一見付け片部７ａ側（第一面板７側、第一折返し片部７ｂ側、屋内側）に向けて折曲された戸先側第一フランジ片部７ｆが形成されている。
そして図３から明らかなように、第一当接片部７ｅの第二見付け片部８ａ第一見付け片部側面への当接は面接触である。
【００１３】
また、第一見付け片部７ａの戸尻側の先端縁（右側端縁）に形成される余長部を折曲することにより、第一見付け片部７ａの先端縁から戸先側に向けて折曲された戸尻側第一折返し片部７ｇと、該戸尻側折返し片部７ｇの先端縁から第二見付け片部８ａ（第二面板８側、屋外側）に向けて折曲された戸尻側第一見込み片部７ｈとが形成されている。ここで、前記戸尻側第一折返し片部７ｇは、第一見付け片部７ａに対して鋭角を存して折曲することにより、先端縁が第一見付け片部７ａの戸尻側端部より戸先側に偏寄しており、戸尻側第一折返し片７ｇとともにドア体６の戸尻部のドア厚を設定する戸尻側第一見込み片部７ｈは、第一見付け片部７ａの戸尻側端部より戸先側に偏寄するように構成されている。そして、戸尻側第一折返し片部７ｇは、第一見付け片部７ａの戸尻側部位とともに、戸尻側第一見込み片部７ｈよりも戸尻側に突出する突起部７ｉを形成するように構成されている。
そして図３から明らかなように、戸尻側第一見込み片部７ｈは第二見付け片部８ａの第一見付け片部側面に当接している。
さらに、戸尻側の余長部には、戸尻側第一見込み片部７ｈの先端縁から戸先側に向けて折曲され、第二面板８の第二見付け片部８ａに当接する戸尻側第一当接片部７ｊが形成されている。また、戸尻側第一当接片部７ｊの先端縁には第一見付け片部７ａ側（第一面板７側、屋内側）に向けて
【００１４】
そして、第一見付け片部７ａの上下の先端縁に形成される余長部を折曲することにより、第一見付け片部７ａの先端縁から第二見付け片部８ａ側（第二面板８側、屋外側）に向けて折曲された上下側第一見込み片部７ｍ、７ｎが形成されている。さらに、上下の余長部には、これら上下側第一見込み片部７ｍ、７ｎの各先端縁から下側、上側に向けてそれぞれ折曲され、第二面板８の第二見付け片部８ａにそれぞれ当接する上下側第一当接片部７ｐ、７ｑが形成されている。また、上下側第一当接片部７ｐ、７ｑの先端縁にはそれぞれ第一見付け片部７ａ側（第一面板７側、屋内側）に向けて折曲された上下側第一フランジ片部７ｒ、７ｓが形成されている。
【００１５】
このように、第一面板７の四周に形成された余長部を折曲することにより、屋外側（第二面板８側）が開口する第一ボックス体７Ｂが形成されるが、第一ボックス体７Ｂは、図６に示すように、戸先側、戸尻側、上下側の各第一見込み片部７ｃ、７ｈ、７ｍ、７ｎの各先端縁に、それぞれ戸先側、戸尻側、上下側の各第一当接片部７ｅ、７ｊ、７ｐ、７ｑが形成されたものとなっており、これら各第一当接片部７ｅ、７ｊ、７ｐ、７ｑは、それぞれ第二面板８の第二見付け片部８ａに平行となるように形成されており、第二見付け片部８ａの四周に突当てられて面接触する状態で当接するように構成されている。
このとき、各第一当接片部７ｅ、７ｊ、７ｐ、７ｑの先端縁には、それぞれ戸先側、戸尻側、上下側の各第一フランジ片部７ｆ、７ｋ、７ｒ、７ｓが形成されている。これによって、各第一当接片部７ｅ、７ｊ、７ｐ、７ｑは、湾曲状に波打つように変形することがなく、平滑精度の高い均一な平板状体として折曲加工され、各第一当接片部７ｅ、７ｊ、７ｐ、７ｑ全域が第二見付け片部８ａに確実に当接させることができるように構成されている。
そして図２の記載から明らかなように、上下側第一見込み片部７ｍ、７ｎは第二見付け片部８ａの第一見付け片部側面に当接している。また図２、３から明らかなように、第一当接片部７ｊ、７ｐ、７ｑは第二見付け片部８ａの第一見付け片部側面に面接触している。
【００１６】
一方、第二面板８において、図７に示すように、第二見付け片部８ａは第一見付け片部７ａと略同様の左右幅（見付け幅）と、第一見付け片部７ａよりも僅かに長い上下長さを有して形成されており、第二見付け片部８ａの戸先側の先端縁（左側端縁）に形成される余長部を折曲することにより、第二見付け片部８ａの先端縁から第一見付け片部７ａ側（第一面板７側、戸先側第一折返し片７ｂの折返し部７ｄ側、屋内側）に向けて折曲された戸先側第二見込み片部８ｂと、戸先側第二見込み片部８ｂの先端縁から戸尻側に向けて折曲され、第一面板７の戸先側第一折返し片７ｂに当接する戸先側第二当接片部８ｃとが形成されている。また、戸先側第二当接片部８ｃの先端縁には第二見付け片部８ａ側（第二面板８側、屋外側）に向けて折曲された戸先側第二フランジ片部８ｄが形成されている。
このとき、戸先側第二見込み片部８ｂは、後述する第一、第二ボックス体７Ｂ、８Ｂの組込み状態において、戸先側第一折返し片部７ｂの折返し部７ｄとともにドア体６の戸先側端面６ｃを構成している。また、戸先側第二当接片部８ｃは戸先側第一見込み片部７ｃに近接する部位にまで延出して形成されており、戸先側第二当接片部８ｃと戸先側第一当接片部７ｅとがドア厚方向（見込方向）に対向するように構成されている。これによって、戸先側第二当接片部８ｃの先端縁に形成される戸先側第二フランジ片部８ｄは、戸先側第一フランジ片部７ｆに対してドア幅方向に位置ズレして、戸先側第一フランジ片部７ｆよりも戸尻側に形成されて、戸先側第一見込み片部７ｃに近接するように構成されているとともに、戸先側第二フランジ片部８ｄの先端縁と戸先側第一フランジ片部７ｆの先端縁とは、ドア厚方向において所定の間隙を存するように構成されている。
そして図３から明らかなように、戸先側第二見込み片部８ｂは、戸先側第二見付け片部８ａの戸先側第一当接片部７ｅ面接触部位よりも戸先側で第一見付け片部側に向けて折曲されていて、前記折返し部７ｄの第二見付け片部側面に当接していること、戸先側第二当接片部８ｃは、戸先側第二見込み片部８ｂの折返し部７ｄ当接部位から戸先側第一折返し片部７ｂの第二見付け片側面に面接触する状態で戸尻側に向けて折曲している。
【００１７】
また、第二見付け片部８ａの戸尻側の先端縁（右側端縁）に形成される余長部を折曲することにより、第二見付け片部８ａの先端縁から第一見付け片部７ａ側（第一面板７側、屋内側）に向けて折曲された戸尻側第二見込み片部８ｅと、該戸尻側第二見込み片部８ｅの内側面（戸先側面）に当接するよう押し潰し状に折返される戸尻側補強片部８ｆとが形成されている。
このとき、戸尻側第二見込み片部８ｅの長さは、ドア体６のドア厚よりも僅かに短い長さに設定されており、戸尻側第二見込み片部８ｅの先端縁部（屋内側端部）は、第一見付け片部７ａの戸尻側先端縁に形成される戸尻側第一折返し片７ｇの傾斜面に当接し、戸尻側第一折返し片７ｇとともにドア体６の戸尻側端面６ｄを構成するように設定されている。
【００１８】
さらに、第二見付け片部８ａの上下の先端縁に形成される余長部を折曲することにより、第二見付け片部８ａの先端縁から第一見付け片部７ａ側（第一面板７側、屋内側）に向けて折曲された上下側第二見込み片部８ｇ、８ｈと、これら上下側第二見込み片部８ｇ、８ｈの内側面（下側面、上側面）にそれぞれ当接する状態で折返される上下側補強片部８ｉ、８ｊとが形成されており、前記上下側第二見込み片部８ｇ、８ｈは、上下側第一見込み片部７ｍ、７ｎとともにドア体６の上下側端面６ａ、６ｂを構成するように設定されている。
そして図２、３から明らかなように、他の三側第二見込み片部８ｅ、８ｇ、８ｈは、他の三側第一見込み片部７ｈ、７ｍ、７ｎの外側に位置する状態で第一見付け片部７ａ側に向けて折曲されていること、他の三側補強片部８ｆ、８ｉ、８ｊは、他の三側第二見込み片部８ｅ、８ｇ、８ｈの第一見付け片部７ａ側端から他の三側第一見込み片部７ｈ、７ｍ、７ｎと他の三側第二見込み片部８ｅ、８ｇ、８ｈとに面接触する状態で折返し折曲されている。
【００１９】
このように、第二面板８の四周に形成された余長部を折曲することにより、屋内側（第一面板７側）が開口する第二ボックス体８Ｂが形成されるが、第二ボックス体８Ｂは、ドア体６の戸先側端面６ｃとなる戸先側見込み片部８ｂを除く、ドア体６の戸尻側端面６ｄ、上下側端面６ａ、６ｂとなる戸尻側、上下側の各第二見込み片部８ｅ、８ｇ、８ｈの内側面に、戸尻側、上下側の各補強片部８ｆ、８ｉ、８ｊが当接状に折曲形成されており、これによって、戸尻側、上下側の各第二見込み片部８ｅ、８ｇ、８ｈが補強されるように構成されている。
【００２０】
そうして、第一ボックス体７Ｂに対して第二ボックス体８Ｂを外嵌するにあたり、第二ボックス体８Ｂは、前述したように、第二見付け片部８ａの左右方向長さ（左右幅）は第一見付け片部７ａと略同様の長さに設定されるのに対し、上下方向長さは第一見付け片部７ａに第二面板８の板厚四枚分と遊びを加えた長さに設定されている。さらに、第一、第二ボックス体７Ｂ、８Ｂの戸先側部位には、後述するように、戸先側部位に中空部Ｈを形成するとともに、第一、第二ボックス体７Ｂ、８Ｂ同士が剥がれないように構成するために、ドア厚方向に対向する戸先側第一、第二当接片部７ｅ、８ｃと、これら当接片部７ｅ、８ｃの先端縁から互いに近接する方向に向けて延出する戸先側第一、第二フランジ片部７ｆ、８ｄとが形成されている。
このため、第一、第二ボックス体７Ｂ、８Ｂ同士は、開口部側同士を直交方向に対向させた状態から突合せるようにして第二ボックス体８Ｂを第一ボックス体７Ｂに対して外嵌させようとしても、第一ボックス体７Ｂの戸先側第一当接片部７ｅと戸先側第一フランジ片部７ｆとが邪魔になって、外嵌させることはできない。そこで、本実施の形態では、第一、第二ボックス体７Ｂ、８Ｂ同士をつぎのような手順で組込むことで、簡単、かつ、容易に組込むことができるように構成されている。
【００２１】
つまり、図８に示すように、第一ボックス体７Ｂを開口部が上方を向く状態で作業台上に載置し、該第一ボックス体７Ｂに対し、第二ボックス体８Ｂを開口部が下方を向く状態で対向せしめ、第一ボックス体７Ｂの上下側第一見込み片部７ｍ、７ｎの外側に、第二ボックス体８Ｂの上下側補強片部８ｉ、８ｊにより補強された上下側第二見込み片部８ｇ、８ｈを外嵌させる状態とする。さらに、第一ボックス体７Ｂの戸先側第一見込み片部７ｃの戸先側に形成される空隙部に、第二ボックス体８Ｂの戸先側第二当接片部８ｃを入り込ませるようにして、第一ボックス体７Ｂの戸先側第一折返し片部７ｂの折返し部７ｄ近傍に突当て、第二ボックス体８Ｂの戸尻側部位が上方に位置する傾斜姿勢とする。この状態から、前記戸先側第一折返し片部７ｂと戸先側第二当接片部８ｃとの突当て部を支点として、第二ボックス体８Ｂの戸尻側部位を下方揺動させる。このとき、戸先側第一、第二フランジ片部７ｆ、８ｄ同士は、戸先側第二フランジ片部８ｄの先端縁と戸先側第一フランジ片部７ｆの先端縁とがドア厚方向において所定の間隙を存する長さに寸法設定されていて、戸先側第二フランジ片部８ｄが戸先側第一フランジ片部７ｆに当接してしまうような不具合はない。
そして、第二ボックス体８Ｂの戸尻側第二見込み片部８ｅの屋内側端部（戸尻側第二補強片部８ｆの折返し部）が第一ボックス体７Ｂの戸尻側第一当接面７ｊに突当たった状態において、第二ボックス体８Ｂ全体を僅かに上方に浮かしつつ戸尻側に変位させて、第二ボックス体８Ｂの戸先側第二フランジ片部８ｄを第一ボックス体７Ｂの戸先側第一見込み片部７ｃに近付けるとともに、第二ボックス体８Ｂの戸尻側第二補強片部８ｆにより補強された戸尻側第二見込み片部８ｅを、第一ボックス体７Ｂの戸尻側第一見込み片部７ｈの外面に沿って外嵌させるよう位置させる状態とする。この状態において、第二ボックス体８Ｂへの支持を解除する（手を離す）ことで、第二ボックス体８Ｂが自重で下方変位して、各第二見込み片部８ｂ、８ｅ、８ｇ、８ｈが各第一見込み片部７ｃ、７ｈ、７ｍ、７ｎに外嵌する第二ボックス体８Ｂの第一ボックス体７Ｂへの外嵌組込みが完了してドア体６が形成されるように構成されている。
【００２２】
前記第一、第二ボックス体７Ｂ、８Ｂの組込み状態において、第一ボックス体７Ｂの四周に形成される戸先側、戸尻側、上下側の各第一当接片部７ｅ、７ｊ、７ｐ、７ｑは第二ボックス体８Ｂの第二見付け片部８ａの四周に当接するが、前述したように、各第一当接片部７ｅ、７ｊ、７ｐ、７ｑは各第一フランジ片部７ｆ、７ｋ、７ｒ、７ｓをそれぞれ形成することにより平滑性よく形成されていて、第二見付け片部８ａに対して均一な状態で当接するように構成されており、これによって、各第一当接片部７ｅ、７ｊ、７ｐ、７ｑがフレーム材のように機能してドア体６全体の補強がなされている。さらに、第二ボックス体８Ｂの上下には、上下側補強片８ｉ、８ｊにより補強された上下側第二見込み片部８ｇ、８ｈが形成され、これら上下側第一、第二見込み片部８ｇ、８ｈが第一、第二ボックス体７Ｂの上下側第一見込み片部７ｍ、７ｎに外嵌するように構成されており、これによって、ドア体６の上下部における補強が一層確実になるように構成されている。
【００２３】
また、ドア体６の戸先側部位においては、戸先側第一、第二見込み片部７ｃ、８ｂ同士がドア幅方向に所定間隙を存して形成されており、戸先側第二見込み片部８ｂが折返し部７ｄに突当たるとともに、戸先側第二フランジ片部８ｄが戸先側第一見込み片部７ｃに近接するように構成されていて、ドア体６の戸先側には、ドア幅方向に対向する戸先側第一、第二見込み片部７ｃ、８ｂにより囲繞される中空部Ｈが形成されている。これによって、中空部Ｈを構成する戸先側第一見込み片部７ｃ、戸先側第一、第二当接片部７ｅ、８ｃ、および、戸先側第一折返し片部７ｂがフレーム材のように機能して、ドア体６の戸先側部位における補強がなされている。
【００２４】
さらに、ドア体６の戸先側部位においては、戸先側第一、第二当接片部７ｅ、８ｃとがドア厚方向に対向して形成され、これら戸先側第一、第二当接片部７ｅ、８ｃの先端縁に形成される戸先側第一、第二フランジ片部７ｆ、８ｄとは、戸先側第二フランジ片部８ｄが戸先側第一フランジ片部７ｆよりも戸先側に位置して、ドア幅方向に位置ズレして設けられている。これによって、火災時等において第一、第二ボックス体７Ｂ、８Ｂが互いに離間する方向に変位した場合に、戸先側第一、第二フランジ片部７ｆ、８ｄが互いに係止して、第一、第二ボックス体７Ｂ、８Ｂ同士が連結された状態を保持できて、これらが剥がれてしまうような不具合を防止できるように構成されている。
【００２５】
また、ドア体６の戸尻側部位においては、戸尻側第二見込み片部８ｅの屋内側端縁部が戸尻側第一折返し片７ｇの傾斜面に突当たるように構成されている。これによって、ドア体６の戸尻側部位を屋内側から目視したとき、屋外側から外嵌される第二ボックス体８Ｂの戸尻側第二見込み片部８ｅの屋内側端縁部が、戸尻側第一折返し片部７ｇと第一見付け片部７ａとにより構成される突起部７ｉにより目隠しされるように構成されている。そして、本実施の形態のドア体６は外開きであって、丁番１０により覆われることがなく、屋内側から目視される戸尻側部位において、突起部７ｉが戸尻側第二見込み片部８ｅの屋内側端縁部を覆うので意匠性に優れたドア体６となるように構成されている。
さらに、戸尻側第二見込み片部８ｅの屋内側端縁部は、戸尻側第一折返し片部７ｇの傾斜面の何れかの部位に突当てる構成とすることにより、ドア厚方向の寸法誤差を吸収できるように構成されている。
【００２６】
さらに、前記第一、第二ボックス体７Ｂ、８Ｂの組込み状態において、戸先側部位については、第二ボックス体８Ｂの戸先側第二当接片８ｃ先端縁および戸先側第二フランジ片部８ｄは、本発明の移動規制手段の移動規制片を構成しており、第一ボックス体７Ｂの戸先側第一見込み片部７ｃに近接配設されている。また、前記戸先側部位以外の三方である戸尻側、上下側部位については、第二ボックス体８Ｂの戸尻側、上下側補強片８ｆ、８ｉ、８ｊにより補強された戸尻側、上下側見込み片部８ｅ、８ｇ、８ｈが、第一ボックス体７Ｂの戸尻側、上下側見込み片部７ｈ、７ｍ、７ｎに摺接（当接）する状態となっている。これによって、第一ボックス体７Ｂに外嵌する第二ボックス体８Ｂが、第一ボックス体７Ｂに対して上下方向（ドア高さ方）およびドア幅方向に移動規制がされてガタつくことがなく、第一、第二ボックス体７Ｂ、８Ｂ同士の位置決め手段を別途設けることなく、外嵌組込みをすることにより、第二ボックス体８Ｂが第一ボックス体に対して自動的に位置決め状態となって組込まれるように構成されている。
【００２７】
ところで、第一、第二ボックス体７Ｂ、８Ｂを外嵌組込みする前の段階において、作業台上に載置される第一ボックス体７Ｂには、コア材９の他に、丁番１０取付け用の丁番用ライナー１０ａ、施錠装置１１取付け用の施錠装置用ライナー１２、ドアクローザ装置１３取付け用のドアクローザ用ライナー１３ａ等、ドア体６に必要な部品取付け用のライナー等の部材が、予め接着等の一体化手段により固定されており、第一、第二面板７、８には、前記各部品取付け箇所には、必要に応じて貫通孔が予め開設されている。
前記丁番用ライナー１０ａは平板状の板材に、複数の取付け用螺子孔が開設して構成されており、図８に示すように、戸尻側第一見込み片部７ｈ内側面の上下二箇所に設けられるが、丁番用ライナー１０ａの螺子孔と第一、第二ボックス体７Ｂ、８Ｂの戸尻側第一、第二見込み片部７ｈ、８ｅ、および、戸尻側補強片部８ｆにそれぞれ開設された貫通孔とを連通させる状態で固定されている。
そして、丁番１０は戸尻側第二見込み片部８ｅに緊締されることになるが、戸尻側第二見込み片部８ｅは突起部７ｉにより屋内側から目視できないよう、第一見付け片部７ａの戸尻側端縁よりも戸先側に偏寄して組込まれているので、丁番１０を戸先側に偏寄して固定することができ、第一見付け片７ａと戸尻側の右枠材５との間に形成される空間が狭められて、ドア体６の開放時に戸尻側にできる隙間が小さくなるように構成されている。
【００２８】
また、施錠装置用ライナー１２は、図９に示すように、屋内外一対の面板１２ａと、これら面板１２ａ同士の戸先側部位を連結する戸先側連結体１２ｂとにより平面視コ字形に形成されている。前記屋内外の面板１２ａ同士の戸尻側部位は複数の連結体１２ｃにより一体化されており、戸先側連結体１２ｂには開口１２ｄが形成されており、該開口１２ｄに、施錠装置１１を支持するための上下一対の取付け片１２ｅが形成されている。そして、施錠装置用ライナー１２は、戸先側連結体１２ｂの開口１２ｄに設けられた取付け片１２ｅが、戸先側第一、第二見込み片部７ｃ、８ｂに形成された開口７ｔ、８ｋおよび、戸先側第二フランジ片部８ｄに形成された切欠き８ｍを介して外部に露出する状態として、第一見付け片部７ａに固定されている。このように、施錠装置用ライナー１２は第一見付け片部７ａに直接固定する構成としたので、取付け片１２ｅと各面板７、８の開口７ｔ、８ｋおよび切欠き８ｍとの位置合わせが容易で、従来の施錠装置用ライナーをフレーム材を介してドア体内に固定するもののように、ドア体の表面材に形成される開口と、施錠装置用ライナーの取付け片との位置合わせが難しくなるような不具合がないように構成されている。
尚、ドアクローザ用ライナー１３ａは、本実施の形態では、第一ボックス体７Ｂの第一見付け片部７ａの戸尻側上方部位に予め固定されている。
【００２９】
このように、必要なライナー１１、１２、１３ａが組込まれた状態において、第一ボックス体７Ｂの第一見付け片部７ａ内側面にホットメルトタイプの接着剤を塗布するとともに、コア材９を内装する。一方、第二ボックス体８Ｂの第二見付け片部８ａ内側面にホットメルトタイプの接着剤を塗布する。続いて、第一、第二ボックス体７Ｂ、８Ｂ同士を前述した手順に基づいて外嵌組込みしてドア体６の外形状を整え、該外嵌組込みされたドア体６を、ホットプレス装置に組込み、ドア体６の表裏方向両側面に対して加熱、加圧することにより、第一、第二見付け片部７ａ、８ａが互いに対向する部材（コア材９、戸先側、戸尻側、上下側の各第一当接片部７ｅ、７ｊ、７ｐ、７ｑ等）に接着（一体化）された状態となり、このようにして、ドア体６が形成されるように構成されている。
さらに、ドア体６は、第一、第二ボックス体７Ｂ、８Ｂの上下の一体化部位であって、上側第一、第二見込み片部７ｍ、８ｇ同士、下側第一、第二見込み片部７ｎ、８ｈ同士については、ドア幅方向複数箇所においてリベット１４による止着がなされており、これによって、ドア体６の一体化が一層強固になされるように構成されている。
【００３０】
叙述の如く構成された本形態において、ドア体６は、金属製板材からなる表裏一対の第一、第二面板７、８を折曲して、ドア体６の表裏のドア面６ｅ、６ｆを構成する第一、第二見付け片部７ａ、８ａと、ドア厚方向に延出する第一、第二見込み片部７ｍ、７ｎ、７ｃ、７ｈ、８ｇ、８ｈ、８ｂ、８ｅとが形成されたボックス状の第一、第二ボックス体７Ｂ、８Ｂをそれぞれ形成し、第一ボックス体７Ｂに第二ボックス体８Ｂを外嵌してドア体６を構成することになるが、この場合に、第一ボックス体７Ｂの四周の第一見込み片部７ｍ、７ｎ、７ｃ、７ｈの先端縁には、第二見付け片部８ａに当接する第一当接片部７ｐ、７ｑ、７ｅ、７ｊがそれぞれ形成されていて、ドア体６の四周において充分な補強を行なうことができる。さらに、上下における第一、第二見込み片部７ｍと８ｇ、７ｎと８ｈの間、戸先側における第一、第二見込み片部７ｃと８ｂの間、戸尻側における第一、第二見込み片部７ｈと８ｅの間には、それぞれ第二ボックス体７Ｂが第一ボックス体８Ｂに対してドア幅方向、および、ドア高さ方向に移動するのを規制するための移動規制手段が設けられているので、第二ボックス体８Ｂを、第一ボックス体７Ｂに対して単に組込む作業を行なうだけで、ドア幅方向、および、ドア高さ方向の移動が規制された位置決め状態となって、一体化手段による一体化の工程の際に、第一、第二ボックス体７Ｂ、８Ｂ同士がずれてしまうようなことがなく、格別位置決め手段を設けることなく、第一、第二ボックス体７Ｂ、８Ｂを精度よく一体化することができる。
【００３１】
また、このものにおいて、第一ボックス体７Ｂの戸先側第一見込み片部７ｃは、第一見付け片部７ａの戸先側端縁から戸尻側に折返される戸先側第一折返し片部７ｂの先端縁に形成され、第二ボックス体８Ｂの戸先側の第二見込み片部８ａは、第二見付け片部８ａの戸先側端縁から戸先側第一折返し片部７ｂに至るように形成されており、第一、第二ボックス体７Ｂ、８Ｂの組込み状態において、戸先側部位を除く三方については、各第一、第二見込み片部同士７ｍと８ｇ、７ｎと８ｈ、７ｈと８ｅが当接することによる移動規制手段が設けられ、戸先側部位については、第一、第二何れか一方の見込み片部であって、本実施の形態では第一見込み片部７ｃに、他方の見込み片部であって、本実施の形態では第二見込み片部８ｂの先端縁に移動規制片として折曲形成した戸先側第二当接片部８ｃの先端縁または戸先側第二フランジ片部８ｄが近接配設することによる移動規制手段が設けられている。この結果、第二ボックス体８Ｂを第一ボックス体７Ｂに対して位置決め状態に組込んで、第二ボックス体８Ｂの位置ズレを防止することができる。そのうえ、前記位置ズレ防止状態において、戸先側部位の第一、第二見込み片部７ｃ、８ｂとの間にドア幅方向に所定の間隙を形成することにより中空部Ｈが形成されて、戸先側端部の強度を一層高めることができる。さらには、第一、第二ボックス体７Ｂ、８Ｂを組込む作業を行なうときに、前述したように、戸先側第一、第二見込み片部７ｃ、８ｂの間隙を利用して組込むことにより組込み作業が容易になって、製作時間の短縮が図れてコスト低下に寄与できる。
【００３２】
さらに、本発明が実施されたものにあっては、戸先側第一当接片部７ｅは、先端縁に第一見付け片部７ａ側に折曲する戸先側第一フランジ片部７ｆが形成されている一方、戸先側第二見込み片部８ｂは、先端縁に戸先側第一折返し片部７ｂに当接する戸先側第二当接片部８ｃが形成され、戸先側第二当接片部８ｃの先端縁に第二見付け片部８ａ側に折曲する戸先側第二フランジ片部８ｄが形成されているが、戸先側第一フランジ片部７ｆは、戸先側第二フランジ片部８ｄよりも戸先側に位置し、かつ、戸先側第二フランジ片部８ｄとの間にドア厚方向に所定間隙を存して形成されているので、火災時等において第一、第二ボックス体７Ｂ、８Ｂが屋内外方向において離間するよう変位した場合に、戸先側第一、第二フランジ片部７ｆ、８ｄ同士が互いに係止して、第一、第二ボックス体７Ｂ、８Ｂ同士が剥がれて（分離して）しまうような不具合を防止できて、ドア体６を防火扉として用いることができる。
【００３３】
そのうえ、このものでは、上下側、戸先側、戸尻側の各第一当接片部７ｐ、７ｑ、７ｅ、７ｊの先端縁に、それぞれ戸先側、戸尻側、上下側の各第一フランジ片部７ｆ、７ｋ、７ｒ、７ｓが形成されているため、各第一当接片部７ｅ、７ｊ、７ｐ、７ｑは、湾曲状に波打つように変形することがなく、平滑精度の高い均一な平板状体として折曲加工され、各第一当接片部７ｅ、７ｊ、７ｐ、７ｑ全域が第二見付け片部８ａに確実に当接して、ドア体６の四周における強度を一層高めることができる。
【００３４】
尚、本発明は前記実施の形態に限定されないことは勿論であって、ドア体の戸先側における移動規制手段は、前記第一の実施の形態のように、第一見込み片部に、移動規制片としての第二見込み片部の先端縁に折曲形成される戸先側第二当接片部の先端縁、または、戸先側第二当接片部の先端縁に折曲形成される戸先側第二フランジ片部を近接配設する構成に限定されることはなく、第二見込み片部に、移動規制片としての第一見込み片部の先端縁から戸先側に折曲形成される第一当接片部の先端縁、または、戸先側第一当接片部の先端縁に折曲形成される戸先側第一フランジ片部を近接配設する構成であってもよい。
【産業上の利用可能性】
【００３５】
本発明は、オフィスビルや工場等の建築物の出入り口部に設けられるドア体を、フレームレスでありながら強度を高め、あらゆる環境の出入り口部に設けられるようにする場合に利用することができる。
【符号の説明】
【００３６】
１  ドア枠
６  ドア体
６ｃ  戸先側端面
７  第一面板
７ａ  第一見付け片部
７ｂ  戸先側第一折返し片部
７ｃ  戸先側第一見込み片部
７ｄ  折返し部
７ｅ  戸先側第一当接片部
７ｆ  戸先側第一フランジ片部
７Ｂ  第一ボックス体
８  第二面板
８ａ  第二見付け片部
８ｂ  戸先側第二見込み片部
８ｃ  戸先側第二当接片部
８ｄ  戸先側第二フランジ片部
９  コア材
１０  丁番
【図１】
0005623811.tif 000002
【図２】
0005623811.tif 000003
【図３】
0005623811.tif 000004
【図４】
0005623811.tif 000005
【図５】
0005623811.tif 000006
【図６】
0005623811.tif 000007
【図７】
0005623811.tif 000008
【図８】
0005623811.tif 000009
【図９】
0005623811.tif 000010